(57)【要約】【課題】廃棄物ガス化溶融装置において、コークスの一部の代替としてアンモニアを使用して、炉下部の温度を十分に昇温できる廃棄物ガス化溶融装置及び方法を提供する。【解決手段】コークス床を有して、廃棄物を熱分解し、熱分解残渣を溶融するシャフト炉式の廃棄物ガス化溶融炉１と、廃棄物ガス化溶融炉１の炉下部に設けられた羽口５から炉内へ、酸素富化空気を吹き込む酸素富化空気供給装置１４と、アンモニアを吹き込むアンモニア供給装置１５とを備える。【選択図】図１
2019190730.tif 000002
【特許請求の範囲】
【請求項１】
廃棄物ガス化溶融装置において、
コークス床を有して、廃棄物を熱分解し、熱分解残渣を溶融するシャフト炉式の廃棄物ガス化溶融炉と、廃棄物ガス化溶融炉の炉下部に設けられた羽口から炉内へ、酸素富化空気を吹き込む酸素富化空気供給装置と、アンモニアを吹き込むアンモニア供給装置とを備えることを特徴とする廃棄物ガス化溶融装置。
【請求項２】
酸素富化空気供給装置は、空気と酸素を混合して酸素富化空気を調製するようになっており、
酸素富化空気供給装置を制御する制御装置を有し、制御装置はアンモニア供給装置からの上記羽口へのアンモニア供給量に応じた酸素富化空気の酸素濃度とするように上記酸素富化空気供給装置で混合する空気量と酸素量を制御することとする請求項１に記載の廃棄物ガス化溶融装置。
【請求項３】
廃棄物ガス化溶融方法において、
コークス床を有するシャフト炉式の廃棄物ガス化溶融炉にて廃棄物を熱分解し、熱分解残渣を溶融する際に、廃棄物ガス化溶融炉の炉下部に設けられた羽口から炉内へ、酸素富化空気とともにアンモニアを吹き込むことを特徴とする廃棄物ガス化溶融方法。
【請求項４】
アンモニアとして、再生可能エネルギーを用いて製造したアンモニアを用いることとする請求項３に記載の廃棄物ガス化溶融方法。
【請求項５】
空気と酸素を混合して酸素富化空気を調製し、羽口へのアンモニア供給量に応じた酸素富化空気の酸素濃度とするように、混合する空気量と酸素量を制御することとする請求項３に記載の廃棄物ガス化溶融方法。
【発明の詳細な説明】
【技術分野】
【０００１】
本発明は、コークス床を有して、廃棄物を熱分解し、熱分解残渣を溶融するシャフト炉式の廃棄物ガス化溶融炉を備え、廃棄物ガス化溶融炉の炉下部に設けられた羽口から炉内へ、酸素富化空気を吹き込む廃棄物ガス化溶融装置及び廃棄物ガス化溶融方法に関する。
【背景技術】
【０００２】
都市ごみやシュレッダーダストなどの廃棄物を処理する技術として、廃棄物を熱分解、燃焼して、熱分解残渣を溶融しスラグにして排出する廃棄物溶融処理が知られている。
【０００３】
この処理方法は、廃棄物を熱分解してガス化することによりその燃焼熱を回収することができるとともに、熱分解残渣を溶融してスラグとして排出した後に、埋立処分などで最終処分されるべき量を減容することができる利点を有している。このような溶融処理方法には幾つかの方式があるが、その一つとして、竪型をなすシャフト炉式廃棄物ガス化溶融炉による方法がある。
【０００４】
このシャフト炉式廃棄物ガス化溶融炉は、例えば、炉下部に堆積させたコークスを燃焼させ、この高温のコークス床上へ廃棄物を投入して、熱分解及び部分酸化させてガス化するとともに熱分解残渣を溶融してスラグにする処理を行なう炉である（特許文献１参照）。
【０００５】
特許文献１のシャフト炉式廃棄物ガス化溶融炉においては、竪型筒状をなす炉体の機能が大別して縦（上下）方向で３つの領域に区分される。すなわち、炉下部にコークスを堆積させたコークス床を有する高温燃焼帯が形成され、この高温燃焼帯の上に廃棄物層が形成され、炉体の上部にて該廃棄物層の上方に大きな空間のフリーボード部をなしている。
【０００６】
かかる廃棄物ガス化溶融炉では、上記３つの領域のそれぞれでは酸素含有ガスの炉内への吹込みが行われる。炉下部における高温燃焼帯には主羽口が設けられていて、該主羽口に接続された送気管で酸素富化空気が炉内へ吹き込まれ、高温燃焼帯では投入されて堆積されたコークス床のコークスが燃焼して、熱分解残渣を溶融する溶融熱源となっている。また、廃棄物層には副羽口が設けられ、空気が吹き込まれ、投入されて堆積された廃棄物を緩やかに流動させると共に、廃棄物を熱分解及び部分酸化させる。また、フリーボード部には三段羽口が設けられ、空気が吹き込まれ、廃棄物が熱分解されて生成した熱分解ガス（可燃性ガス）の一部を部分燃焼させて内部を所定温度に維持する。
【０００７】
このようにシャフト炉式廃棄物ガス化溶融炉は、一つの炉で、廃棄物をその炉内での降下に伴い熱分解ガス化処理と溶融処理の両方を行うことのできる設備である。投入された廃棄物は熱分解され、ガスと残渣が生成される。炉下部では主羽口からの酸素富化空気の送風によりコークス床のコークスが燃焼され高温燃焼帯が形成され、廃棄物の熱分解残渣が溶融されスラグとメタルとして排出される。コークス床はコークス同士間に生ずる空隙で、主羽口からの酸素富化空気やコークス燃焼により発生した高温ガスを通ガスさせるとともに、溶融したスラグとメタルを通液させる高温火格子としても機能している。高温燃焼帯のコークス燃焼により発生した高温ガスが高温燃焼帯の上に形成された廃棄物層の廃棄物を加熱し、副羽口からの空気の送風により廃棄物は熱分解され、この熱分解により発生した可燃性ガスを含むガスは廃棄物層内を上昇し、フリーボード部を経て、炉内上部に設けられた排出口より、炉外の二次燃焼室へ排出される。ガスは可燃ガスを多量に含んでいて二次燃焼室で燃焼され、ボイラで熱回収され蒸気を発生させその蒸気が発電等に用いられる。ボイラから排出されたガスは、サイクロンで比較的粗いダストが除去され、さらに、減温装置で冷却され、有害物質除去剤との反応により有害ガスが除去され、集塵機で除塵処理されるなど排ガス処理された後、煙突から大気に放散される。
【０００８】
かかる廃棄物ガス化溶融炉では、炉底部にコークスを堆積させたコークス床が形成され、コークスが燃焼して熱分解残渣の溶融熱源となっているが、近年、コークスの使用量を低減して廃棄物ガス化溶融炉からの二酸化炭素排出量を削減することが要望されている。
【０００９】
そこで、コークスの一部の代替として天然ガス、プロパンガス、廃棄物ガス化溶融炉にて熱分解により発生する可燃ガス等の燃料ガスを利用することが検討され、例えば、特許文献２では、主羽口（送風羽口）から酸素富化空気とともに燃料ガスを吹き込むことが提案されている。
【００１０】
特許文献２では、酸素富化空気を炉内へ送入する羽口の先端が炉内に進入してコークス床内にまで突入して位置するようにして該羽口が設けられている。燃料ガスはこの羽口に接続された送気管内へ供給されて、羽口先端から酸素富化空気とともにコークス床に吹き出され燃焼され、燃料ガスの燃焼熱がコークス床での溶融熱源の一部として用いられる。
【先行技術文献】
【特許文献】
【００１１】
【特許文献１】特開平０９−０６０８３０
【特許文献２】特開２００１−０９０９２３
【発明の概要】
【発明が解決しようとする課題】
【００１２】
二酸化炭素排出量を削減するため、廃棄物ガス化溶融炉におけるコークスの使用量を低減するべく、特許文献２のようにコークスの一部の代替として燃料ガスを吹き込むとしても、次のような問題がある。
【００１３】
特許文献２で用いられる燃料ガスは、例えば、ＬＰＧ、ＬＮＧ、廃棄物ガス化溶融炉から発生する熱分解ガス等であり、炭素分を有しているので、その燃焼によりＣＯ２が発生する。したがって、これらの燃料ガスを用いると、廃棄物ガス化溶融炉装置へ供給されるコークスの一部の代替としてガス化溶融のための熱源を確保できるが、該廃棄物ガス化溶融炉装置からのＣＯ２排出量を削減する効果は限定的であり、この点での改良が望まれる。また、廃棄物ガス化溶融炉から発生する熱分解ガスを燃料ガスとして使用する場合には、炉から排出されるガスに含まれているダスト、タール、酸性ガスを除去して清浄化する必要があり、実現するには困難な点がある。
【００１４】
本発明は、このような事情に鑑み、廃棄物ガス化溶融装処理の際のコークスの一部の代替として熱分解残渣の溶融熱源として必要な熱量を確保することができるとともに、ＣＯ２排出量を削減することができる廃棄物ガス化溶融装置及び廃棄物ガス化溶融方法を提供することを課題とする。
【課題を解決するための手段】
【００１５】
上述した課題は、本発明によると、廃棄物ガス化溶融装置及び廃棄物ガス化溶融方法に関し次のように構成することで解決される。
【００１６】
＜廃棄物ガス化溶融装置＞
本発明に係る廃棄物ガス化溶融装置は、コークス床を有して、廃棄物を熱分解し、熱分解残渣を溶融するシャフト炉式の廃棄物ガス化溶融炉と、廃棄物ガス化溶融炉の炉下部に設けられた羽口から炉内へ、酸素富化空気を吹き込む酸素富化空気供給装置と、アンモニアを吹き込むアンモニア供給装置とを備えることを特徴とする。
【００１７】
かかる本発明によれば、アンモニアは炭素分を含んでいないのでその燃焼の際に、ＣＯ２を発生しない。したがって、アンモニアによりコークスの一部の代替を行うことにより、発熱量を確保しつつ、廃棄物ガス化溶融炉からのＣＯ２排出量を削減することができる。
【００１８】
本発明において、酸素富化空気供給装置は、空気と酸素を混合して酸素富化空気を調製するようになっており、酸素富化空気供給装置を制御する制御装置を有し、制御装置はアンモニア供給装置からの上記羽口へのアンモニア供給量に応じた酸素富化空気の酸素濃度とするように上記酸素富化空気供給装置で混合する空気量と酸素量を制御することが好ましい。
【００１９】
本発明では、廃棄物ガス化溶融炉における熱分解残渣を溶融する熱源として使用するコークスの使用量を低減して、その減少分の代替としてアンモニアを使用する際に、制御装置が、酸素富化空気の酸素濃度を、アンモニア供給装置から羽口へ供給するアンモニア供給量に応じた酸素富化空気の酸素濃度とするように、上記酸素富化空気供給装置で混合する空気量と酸素量を制御する。
【００２０】
コークスとアンモニアを燃焼するときの炉下部での総和発熱量は、アンモニアの分解熱を周囲から受ける分だけ、コークスだけを燃焼するときの炉下部での発熱量に比べて低くなる。そこで、アンモニアとともに炉下部に吹き込む酸素富化空気の酸素濃度をコークスだけを燃焼する場合より高くして、すなわち、酸素富化空気中の窒素の比率を低くして、窒素の加熱に用いられる熱量を低く抑えて、炉下部での熱分解残渣の溶融や溶融スラグの昇温が適正に行われるように炉下部の温度を所定温度に維持することとする。コークスの使用量を低減してアンモニアの供給量を増加すればするほど、炉下部での総和発熱量が小さくなることに対応して、アンモニア供給量の増加に対応させて酸素富化空気の酸素濃度を高くして窒素の比率を低くするように制御する。
【００２１】
このように、アンモニア供給量に応じて酸素富化空気の酸素濃度を制御して、アンモニアとコークスの燃焼により炉下部で発生する熱量が、熱分解残渣を十分に溶融し、溶融スラグ温度を炉からの排出に適した温度にまで上昇させるのに十分な熱量となるようにする。この結果、コークスの一部の代替としてアンモニアを供給する際に、コークス使用量を少なくしアンモニア使用量を多くしても、炉下部で発生し溶融等の熱源として用いる熱量がコークス単独使用の場合に比べて低下することなく、炉下部の温度を所定温度に維持し、熱分解残渣の溶融と溶融物の排出を円滑に行うことができる。
【００２２】
＜廃棄物ガス化溶融方法＞
本発明に係る廃棄物ガス化溶融方法は、コークス床を有するシャフト炉式の廃棄物ガス化溶融炉にて廃棄物を熱分解し、熱分解残渣を溶融する際に、廃棄物ガス化溶融炉の炉下部に設けられた羽口から炉内へ、酸素富化空気とともにアンモニアを吹き込むことを特徴とする。
【００２３】
かかる本発明によれば、アンモニアは炭素分を含んでいないのでその燃焼の際に、ＣＯ２を発生しない。したがって、アンモニアによりコークスの一部の代替を行うことにより、発熱量を確保しつつ、廃棄物ガス化溶融炉からのＣＯ２排出量を削減することができる。
【００２４】
本発明において、アンモニアとして、再生可能エネルギーを用いて製造したアンモニアを用いることが好ましい。太陽光発電や風力発電など再生可能エネルギーにより得る電力を用いて製造したアンモニア（グリーンアンモニア）を用いることにより、アンモニアの製造過程でＣＯ２排出がないため、廃棄物ガス化溶融炉による廃棄物処理システム全体でＣＯ２排出量を削減することができる。  
【００２５】
本発明において、空気と酸素を混合して酸素富化空気を調製し、羽口へのアンモニア供給量に応じた酸素富化空気の酸素濃度とするように、混合する空気量と酸素量を制御することが好ましい。
【００２６】
こうすることで、廃棄物ガス化溶融炉における熱分解残渣を溶融する熱源として使用するコークスの使用量を低減して、その減少分の代替としてアンモニアを供給、燃焼して発熱量を確保する際に、制御装置が、酸素富化空気の酸素濃度を、アンモニア供給装置から羽口へ供給するアンモニア供給量に応じた酸素富化空気の酸素濃度とするように、上記酸素富化空気供給装置で混合する空気量と酸素量を制御する。
【００２７】
コークスとアンモニアを燃焼するときの炉下部での発熱量は、アンモニアの分解熱を周囲から受ける分だけ、コークスだけを燃焼するときの炉下部での発熱量に比べて低くなる。そこで、アンモニアとともに炉下部に吹き込む酸素富化空気の酸素濃度をコークスだけを燃焼する場合より高くして、すなわち、酸素富化空気中の窒素の比率を低くして、窒素の加熱に用いられる熱量を低く抑えて、炉下部での熱分解残渣の溶融や溶融スラグの昇温が適正に行われるように炉下部の温度を所定温度に維持することとする。コークスの使用量を低減してアンモニアの供給量を増加すればするほど、炉下部での発熱量が小さくなることに対応して、アンモニア供給量の増加に対応させて酸素富化空気の酸素濃度を高くして窒素の比率を低くするように制御する。
【発明の効果】
【００２８】
本発明は、以上のように、廃棄物ガス化溶融炉における熱分解残渣を溶融する熱源として使用するコークスの使用量を低減して、その減少分の代替としてアンモニアを使用するので、アンモニアは炭素分を含んでいないのでその燃焼の際に、ＣＯ２を発生しないため、熱分解残渣の溶融熱源として必要な熱量を確保することができるとともに、ＣＯ２排出量を削減することができる。アンモニアとして、再生可能エネルギーを用いて製造したアンモニアを用いることにより、アンモニアの製造過程でＣＯ２排出がないため、廃棄物ガス化溶融炉による廃棄物処理システム全体でＣＯ２排出量を削減することができる。
【００２９】
また、本発明において、制御装置を用いて、酸素富化空気の酸素濃度を、アンモニア供給装置から羽口へ供給するアンモニア供給量に応じた酸素富化空気の酸素濃度とするように、上記酸素富化空気供給装置で混合する空気量と酸素量を制御することにより、アンモニアとコークスの燃焼により炉下部で発生する熱量が、熱分解残渣を十分に溶融し、溶融スラグ温度を炉からの排出に適した温度にまで上昇させるのに十分な熱量となるようにする。この結果、コークスの一部の代替としてアンモニアを供給する際に、コークス使用量を少なくしアンモニア使用量を多くしても、炉下部での発熱量がコークス単独使用の場合に比べて低下することなく、炉下部の温度を高く維持し、熱分解残渣の溶融と溶融物の排出を円滑に行うことができる。
【図面の簡単な説明】
【００３０】
【図１】本発明の一実施形態としての廃棄物ガス化溶融装置の概要構成を示す図である。
【発明を実施するための形態】
【００３１】
以下、添付図面にもとづき、本発明の実施形態を説明する。本実施形態では、シャフト炉式廃棄物ガス化溶融炉の炉下部へ酸素富化空気とアンモニアとを混合した混合気体を吹き込む際に、アンモニアの供給量に応じて酸素富化空気中の酸素濃度を調整することを特徴としているが、これらの特徴についての説明に先立ち、図１にもとづき、このシャフト炉式廃棄物ガス化溶融炉の概要構成を説明する。
【００３２】
＜シャフト炉式廃棄物ガス化溶融炉の概要構成＞
図１に示される本発明の一実施形態で採用されているシャフト炉式廃棄物ガス化溶融炉には、廃棄物ガス化溶融炉１の炉上部に、処理対象物としての廃棄物、燃料としてのコークス、スラグの成分調整材としての石灰石を炉内へ投入するための投入口２が設けられ、また、上部側方には炉内のガスを炉外へ排出するためのガス排出口３が設けられている。また、ガス化溶融炉１の炉底部には溶融スラグと溶融金属を排出するための出滓口４が設けられている。
【００３３】
廃棄物ガス化溶融炉１の上方には、都市ごみ等の廃棄物、コークス、生成するスラグの成分調整材として使用する石灰石をそれぞれ供給する供給装置（図示せず）が配設されており、この供給装置から供給された廃棄物、コークス、石灰石は搬送コンベア（図示せず）により搬送され炉上部の上記投入口２から炉内に投入される。
【００３４】
ガス排出口３には二次燃焼室１０が接続して設けられており、廃棄物を熱分解して生成した可燃性ガスを燃焼する。該二次燃焼室１０には、二次燃焼のための空気を吹き込む空気送風口１１が設けられている。また、この二次燃焼室１０には、該二次燃焼室１０で可燃性ガスを燃焼した燃焼ガスから熱回収するボイラ１２が隣接して設けられている。
【００３５】
また、ボイラ１２からの排ガスは、後流側に設けられた減温装置や集塵機、さらには排ガス処理装置（いずれも図示せず）を経て無害化された後に大気に放出されるようになっている。
【００３６】
上記シャフト炉式の廃棄物ガス化溶融炉１は、内部空間が縦方向で４つの領域に区分されていて、下方から、コークス充填層Ａ、移動層Ｂ、ガス化層Ｃ、フリーボード部Ｄが形成される。炉下部には移動層Ｂとコークス充填層Ａが形成される。かかる廃棄物ガス化溶融炉１では、上記移動層Ｂ、ガス化層Ｃのそれぞれで、羽口が設けられ酸素含有ガス等の炉内への吹込みが行われる。炉下部における移動層Ｂには主羽口５が設けられ、酸素富化空気とアンモニアが炉下部に吹き込まれる。ガス化層Ｃには副羽口６が設けられ、空気が吹き込まれる。
【００３７】
上述の主羽口５には、酸素富化空気とアンモニアとの混合気体を炉内へ吹き込むための送気管（図示せず）が接続されており、該送気管には酸素富化空気供給装置１４およびアンモニア供給装置１５が接続されている。酸素富化空気供給装置１４は、空気に酸素を混合して得られた酸素富化空気を上記送気管に供給し、アンモニア供給装置１５は、アンモニアを上記送気管に供給するようになっている。上記送気管内では、酸素富化空気とアンモニアとが混合されて混合気体が形成される。該送気管は、酸素富化空気とアンモニアとを燃焼前に混合できる構成を有していればよく、例えば、単管、二重管、三重管等を用いることができる。
【００３８】
また、本実施形態の廃棄物ガス化溶融装置には制御装置１６が設けられており、該制御装置１６は、酸素富化空気供給装置１４で混合する酸素と空気の量を調整して酸素富化空気の酸素濃度を、アンモニア供給装置１５から送気管に供給するアンモニア供給量に応じて制御するようになっている。
【００３９】
次に、制御装置１６による酸素富化空気の酸素濃度の制御について説明する。廃棄物熱分解残渣の溶融と溶融スラグが円滑に排出されるための昇温を適切に行うために、炉下部の温度を適正な所定範囲に維持することができる、コークス供給量、アンモニア供給量及びアンモニア供給量に対応する酸素富化空気の酸素濃度の適正な関係を検討し導き出した。従来のコークスのみを供給する操業では、廃棄物ガス化溶融炉の炉下部でのコークスの単独燃焼による発熱量から吹き込まれる酸素富化空気の昇温のために用いられる熱量を差し引いた熱量（コークス単独燃焼発熱量という）が、廃棄物熱分解残渣の溶融と溶融スラグの昇温に用いられる熱量となっている。本発明においては、コークス燃焼とアンモニア燃焼による発熱量の和からアンモニアの分解熱を差し引いた熱量の総和から吹き込まれる酸素富化空気の昇温のために用いられる熱量を差し引いた熱量（コークス・アンモニア混合燃焼発熱量という）が、廃棄物熱分解残渣の溶融と溶融スラグの昇温に用いられる熱量となっている。本発明において、コークス・アンモニア混合燃焼発熱量を従来のコークス単独燃焼操業におけるコークス単独燃焼発熱量と同等とするように、操業条件を設定し、制御を行う。
【００４０】
コークスとアンモニアを燃焼するときの炉下部での発熱量は、アンモニアの分解熱を周囲から受ける分だけ、コークスだけを燃焼するときの炉下部での発熱量に比べて低くなる。そこで、本発明では、アンモニアとともに炉下部に吹き込む酸素富化空気の酸素濃度をコークスだけを燃焼する場合より高くして、すなわち、酸素富化空気中の窒素の比率を低くして、窒素の加熱に用いられる熱量を低く抑えて、コークス・アンモニア混合燃焼発熱量を従来のコークス単独燃焼操業におけるコークス単独燃焼発熱量と同等とすることを実現して、炉下部での熱分解残渣の溶融や溶融スラグの昇温がコークス単独燃焼操業と同等に適正に行われるように炉下部の温度を適正な所定範囲に維持する。コークスの供給量を低減してアンモニアの供給量を増加すればするほど、炉下部での発熱量が小さくなることに対応して、アンモニア供給量を増加することに対応して、酸素富化空気の酸素濃度を高くして窒素の比率を低くするように制御する。
【００４１】
ここで、炉下部の温度の「適正な所定範囲」とは、炉下部にて熱分解残渣の十分な溶融および炉からの溶融スラグの円滑な排出を実現可能な温度範囲を意味している。炉下部の温度が適正な所定範囲にまで昇温されることにより、熱分解残渣が十分に溶融され、さらに、溶融スラグが十分に昇温され、好ましい流動性を有すこととなり、円滑に排出することができる。
【００４２】
コークス・アンモニア混合燃焼発熱量とコークス単独燃焼発熱量との算定、比較検討を行い、アンモニア供給量に対応した酸素富化空気の酸素濃度の適正な所定範囲との対応関係を予め求めて定めておき、アンモニア供給量に対応して酸素富化空気の酸素濃度を適正な所定範囲とするように制御する。酸素富化空気の酸素濃度が、適正な所定範囲より低いと、酸素富化空気の窒素の比率が高く窒素の加熱に用いられる熱量が多くなり、炉下部の温度を適正な範囲に昇温できず、適正な所定範囲より高いと、コークスの燃焼が過剰に促進されコークスの消耗が早くコークス床を適切に維持できないという不具合が生じる。
【００４３】
酸素富化空気供給装置１４が調製する酸素富化空気の酸素濃度を、アンモニア供給量に応じて制御する場合に、上述のように予め求めたアンモニア供給量に対応した酸素富化空気の酸素濃度の適正な所定範囲とするように制御することにより、的確に、炉下部で発生する熱量を、熱分解残渣を十分に溶融し、溶融スラグ温度を炉からの排出に適した温度にまで上昇させるのに十分な熱量とすることができる。
【００４４】
本実施形態では、上述したアンモニア供給量に対応した酸素富化空気の酸素濃度の適正な所定範囲（以下、「対応関係」という）は、制御装置１６に予め記憶されている。アンモニア供給装置１５は、主羽口５へ供給しているアンモニア供給量のデータを連続的にあるいは定期的に制御装置１６へ送る。制御装置１６は、上記対応関係を参照することにより、コークス供給量の低減に合わせて設定される、アンモニア供給量と対応する酸素富化空気の適正酸素濃度範囲を特定する。そして、該制御装置１６は、酸素富化空気供給装置１４が主羽口５へ供給する酸素富化空気中の酸素濃度が上述の特定した適正酸素濃度範囲内に収まるように、酸素富化空気供給装置１４で混合する酸素と空気の量を調整して酸素富化空気の酸素濃度を制御する。かくして、アンモニア供給装置１５から送気管に供給するアンモニア供給量に応じて、酸素富化空気の酸素濃度を制御する。この混合する酸素と空気の量の調整は、例えば、酸素富化空気供給装置１４の酸素供給系と空気供給系のバルブやダンパ（いずれも図示せず）の開度を調整することにより行われる。
【００４５】
本実施形態では、既述したように、制御装置１６が、酸素富化空気供給装置１４で調製され炉内へ供給される酸素富化空気の酸素濃度を、アンモニアの供給量に応じて適正な酸素濃度となるように制御する。この制御により、炉下部でのアンモニアとコークスの燃焼による熱量が、熱分解残渣を十分に溶融し、さらに、溶融スラグ温度を炉からの排出に適した温度にまで上昇させるのに十分な熱量にすることができ、炉下部の温度が適正な所定範囲に維持される。この結果、コークスの一部の代替としてアンモニアを供給する際に、コークス供給量を少なくしアンモニア供給量を多くしても、必要な熱量を得ることができ、熱分解残渣の溶融と溶融スラグの排出を円滑に行うことができる。また、アンモニアをコークスの一部の代替として用い、燃焼熱を溶融熱源として用いることが効率よくできるため、コークスの使用量を低減して二酸化炭素排出量を削減することができる。
【００４６】
このように構成される本実施形態装置では、廃棄物のガス化溶融処理は次の要領で行われる。
【００４７】
＜廃棄物ガス化溶融炉でのガス化溶融方法＞
供給装置からの廃棄物、コークス、石灰石が廃棄物ガス化溶融炉１の上部に設けられた投入口２を経て、それぞれ所定量ずつ炉内へ投入され、主羽口５、副羽口６から、それぞれ混合気体又は空気が炉内へ吹き込まれる。特に、主羽口５からは、酸素富化空気供給装置１４から供給される酸素富化空気とアンモニア供給装置１５から供給されるアンモニアとの混合により得られた混合気体が炉内へ吹き込まれる。ここで、上記酸素富化空気供給装置１４で調製される酸素富化空気は、既述したように制御装置１６が酸素濃度を制御することによりアンモニア供給量に対応した適正な酸素濃度に調整されている。
【００４８】
上記投入口２から投入された廃棄物は、炉内に堆積して廃棄物のガス化層Ｃを形成し、炉下部の移動層Ｂから上昇してくる高温の燃焼ガス及び副羽口６から吹き込まれる空気によって加熱され、乾燥され、次いで熱分解される。熱分解により生成した可燃性ガスを含む燃焼ガスは上昇し、可燃性ガスの一部がフリーボード部Ｄにて燃焼され、炉内部を所定温度に維持し、熱分解により発生した有害物とタール分を分解させる処理が施される。フリーボード部Ｄを通過したガスは炉上部に設けられたガス排出口３より、炉外の二次燃焼室１０へ排出される。ガスは可燃性ガスを多量に含んでいて二次燃焼室１０で空気送風口１１から空気を吹き込まれ燃焼され、ボイラ１２で燃焼ガスから熱回収され蒸気を発生させ、その蒸気が発電等に用いられる。ボイラ１２から排出されたガスは、サイクロン（図示せず）で比較的粗いダストが除去され、さらに、減温装置（図示せず）で冷却され、有害物質除去剤との反応により有害ガスが除去され、集塵機（図示せず）で除塵処理されるなど排ガス処理された後、煙突（図示せず）から大気に放散される。
【００４９】
ガス化層Ｃで廃棄物は熱分解されてガスが生成され、さらに、熱分解により生じた固定炭素や熱分解残渣（灰分）は、コークス及び石灰石とともに下降し移動層Ｂを形成する。移動層Ｂでは主羽口５から送風される酸素富化空気によりコークス、アンモニアと廃棄物の固定炭素が燃焼され、この燃焼熱により廃棄物の灰分が溶融され溶融スラグと溶融メタルが生成される。石灰石は灰分が溶融されたスラグの性状を好ましいものとする調整材として働く。さらに、発生した高温の燃焼ガスが上昇し廃棄物の熱分解のために加熱する熱源となる。
【００５０】
主羽口５から下方では、高温になりながらも燃え尽きていないコークスがコークス塊同士の間隙を保持して充填された状態でコークス充填層Ａを形成しており、溶融スラグと溶融メタルはコークス塊同士の間隙を滴下し炉底に達する。溶融スラグと溶融メタルは炉底に達するまでに均質化され性状が安定化され、炉底に設けられた出滓口４から排出され、炉外に設けられた水砕装置（図示せず）に供給され冷却固化され、冷却固化された水砕スラグと水砕金属が回収される。主羽口５から送風される酸素富化空気と、コークス、アンモニアと固定炭素の燃焼により発生した高温の燃焼ガスとは、移動層Ｂからガス化層Ｃへ上昇して廃棄物を加熱し、ガス化層Ｃの廃棄物が副羽口６から供給される空気により部分酸化、熱分解される。移動層Ｂでは、コークス、アンモニアが燃焼して灰分溶融と廃棄物熱分解の熱源となり、コークスが塊同士の間隙を保持して酸素富化空気と高温の燃焼ガスとを通気させ、溶融スラグと溶融メタルとを通液させる高温火格子の機能を有している。
【００５１】
本実施形態では、制御装置１６が、酸素富化空気供給装置１４で調製され炉内へ供給される酸素富化空気の酸素濃度を、アンモニア供給装置１５から供給するアンモニアの供給量に応じて適正な濃度となるように制御する。制御装置１６は、酸素富化空気供給装置１４が主羽口５へ供給する酸素富化空気中の酸素濃度が上述の特定した適正酸素濃度範囲内に収まるように、酸素富化空気供給装置１４で混合する酸素と空気の量を調整して酸素富化空気の酸素濃度を制御する。かくして、アンモニア供給装置１５から送気管に供給するアンモニア供給量に応じて、酸素富化空気の酸素濃度を制御する。この混合する酸素と空気の量を調整は、例えば、酸素富化空気供給装置１４の酸素供給系と空気供給系のバルブやダンパ（いずれも図示せず）の開度を調整することにより行われる。
【００５２】
この制御により、炉下部でのアンモニアとコークスの燃焼による熱量が、熱分解残渣を十分に溶融し、さらに、溶融スラグ温度を炉からの排出に適した温度にまで上昇させるのに十分な熱量にすることができ、炉下部の温度が適正な範囲に維持される。この結果、コークスの一部の代替としてアンモニアを供給する際に、コークス使用量を少なくしアンモニア使用量を多くしても、必要な熱量を得ることができ、熱分解残渣の溶融と溶融物の排出を円滑に行うことができる。
【００５３】
このように、アンモニアをコークスの一部の代替として用い、燃焼熱を溶融熱源として用いることが効率よくできるため、コークスの使用量を低減して二酸化炭素排出量を削減することができる。
【００５４】
本実施形態では、主羽口５から混合気体のみを吹き込むこととしたが、これに代えて、二次燃焼室１０やボイラ１２から回収したダストを混合気体とともに吹き込むこととしてもよい。このように混合気体とともにダストをも吹き込んだ場合、該混合気体中のダストは主羽口５から移動層Ｂへ達すると、溶融して熱分解残渣の溶融物とともにコークス充填層を滴下し炉底部の出滓口４から溶融スラグとして抜き出される。このように、ダストを溶融処理することにより減容化して、ダストのまま埋立処分する場合に比べて埋立処分量を大幅に削減できる。
【符号の説明】
【００５５】
１  廃棄物ガス化溶融炉
５  （主）羽口
１４  酸素富化空気供給装置
１５  アンモニア供給装置
【図１】
2019190730.tif 000003